(57)【要約】【課題】  身体の所定領域を簡便にして効果的に冷却できるようにする。【解決手段】  保冷パック２０と、保冷パック２０を内部に収容し得る柔軟なカバー１０とからなる冷感マット１において、保冷パック２０が、扁平な袋体に保冷材及び無機微粒子の混合物を充填密封した扁平な形状を有し、カバー１１が、内部に保冷パック２０を収容し得る複数の収納室１０ａを有する扁平な形状を有する冷感マット１を用いる。【選択図】  図２
2005144036.tif 000002
【特許請求の範囲】
【請求項１】
保冷パックと、保冷パックを内部に収容し得る柔軟なカバーとからなる冷感マットにおいて、保冷パックは、扁平な袋体に保冷材及び無機微粒子の混合物を充填密封した扁平な形状有し、カバーは、内部に保冷パックを収容し得る複数の収納室を有する扁平な形状を有していることを特徴とする冷感マット。
【請求項２】
無機微粒子が無水超微粒子シリカ、含水ケイ酸微粒子、アルミナ超微粒子から選ばれた少なくとも１種の無機微粒子である請求項１に記載の冷感マット。
【発明の詳細な説明】
【技術分野】
【０００１】
本発明は、冷媒が封入された保冷パックを内部に収納した冷感マットに関するものである。
【背景技術】
【０００２】
人間や動物などが、座ったり、寝そべったりすると、その身体と、座面や床面との接触面は、その身体から発せられる体温や湿気によって蒸れ、不快感を引き起こす原因となる。
特に、夏場など、不快指数の高い環境では、体に触れる座面等の温度自体も高くなっていることも加わって、その不快感は顕著なものとなる。
また、車椅子利用者や、ベビーカーの利用者が、夏場に外出しようとすると、座面や、背面から、アスファルトの照り返しや、地表面付近に漂う熱気の影響をまともに受けてしまい、不快を超えて、汗をかき過ぎて脱水症状になり、日射病や熱射病などの疾病にかかってしまう恐れもある。
【０００３】
このような場合、ゲル状の保冷材を封入した保冷パックを、予め冷凍庫を用いて凍結させ、凍結した保冷パックを身体に当てて、涼を得ることができる。
しかしながら、このような保冷パックは、凍結によって硬くなって、身体の密着性が悪くなると共に、温度が低すぎて凍傷の恐れもある。このため、例えば、座布団カバーや、枕カバーの中に入れて使用することには適していない。
また、冷凍された保冷パックは、温度が低すぎるので、使用中に、その表面に結露し易くなって、カバー等の中にこの保冷パックを収容した場合には、使用中に湿っぽくなり、不快感が増大すると共に、衛生的でないという問題があった。
【０００４】
このような凍結式の保冷パックは、従来から発熱時や、熱を帯びた患部を冷やすのに用いられており、本願出願人らは、上記の問題を解決するため、特願２００２−３５５４４２号に記載の技術を提案した。
この特願２００２−３５５４４２号の出願明細書に記載の保冷袋（本明細書では、以後保冷パックという）を用いれば、極めて良好に身体を冷却できる。この保冷パックには、保冷材と無機微粒子の混合物が充填密封されており、使用前に冷凍庫による凍結の必要がなく、保冷パック自体の柔軟性が失われることがない。この保冷パックは、これを比較的狭い領域に当てることによって、頭部や頚部、関節など、所望の領域を冷却できる。
【０００５】
しかしながら、この保冷パックによって、背中一面や、後頭部一面、胸部一面、臀部一面など、比較的広範囲を冷やそうとする場合には、保冷パック自体を大きくしなければならない。保冷パック内の混合物は、常に流動性があるので、単に保冷パックを大きくしても、保冷パックを縦に配置したり、座布団カバーや枕カバー等に収納させたりして使用する場合には、混合物が、重力によって偏ったり、利用者の体重などによって押し退けられ、利用者の身体に効果的に作用しなくなるという問題があった。
【０００６】
この問題は、保冷パックに充填密封される混合物の充填圧力を上げるか、保冷パック内に偏り防止のための仕切りなどを作れば解決することも可能であるが、重くなって、取り扱いが困難になったり、製造コストが高くなったりするなどの問題があり、現実的ではない。
【特許文献１】特願２００２−３５５４４２号
【発明の開示】
【発明が解決しようとする課題】
【０００７】
本発明は上記の問題を解決するためになされたものであり、その目的は、身体の所定領域を簡便にして効果的に冷却できるようにすることのできる冷感マットを提供することにある。
【課題を解決するための手段】
【０００８】
本発明の冷感マットは、保冷パックと、保冷パックを内部に収容し得る柔軟なカバーとからなる冷感マットにおいて、保冷パックは、扁平な袋体に保冷材及び無機微粒子の混合物を充填密封した扁平な形状有し、カバーは、内部に保冷パックを収容し得る複数の収納室を有する扁平な形状を有していることを特徴とするものである。
この無機微粒子は、無水超微粒子シリカ、含水ケイ酸微粒子、アルミナ超微粒子から選ばれた少なくとも１種の無機微粒子であることが好ましい。
【発明の効果】
【０００９】
本発明は上記のように構成されるので、本発明によるときは、簡単かつ低コストに製造できる保冷パックを用い、広範囲の領域を効率よく冷却できる。
特に、この冷感マットを、座布団、枕、敷布、車椅子の座布団や背もたれパッド、ベビーカーやチャイルドシートの敷きパッドに使用すると、熱気や蒸れによる利用者の不快感を解消できるようになる。
【発明を実施するための最良の形態】
【００１０】
以下、本発明について図面に基づき、詳細に説明する。
図１は本発明にかかる冷感マットの一実施例の平面図、図２は図１に示した冷感マットの保冷パックの収納状態を示す平面図である。
図中、１は冷感マット、１０はカバー、１０ａは収納室、１１はファスナーの金具、２０は保冷パックである。
【００１１】
まず、図１について説明する。
カバー１０は、二枚の矩形状の織布を重ね合わせ、その一対の縁辺に沿って縫い合わせられている。
また、その縫い合わせた辺の中央同士を結ぶ直線と、その直線を略３等分する位置を通り、その直線と直角に交わる直線に沿って縫い合わせてあり、この縫い合わせにより、カバー１０の内部が、２列３段の収納室１０ａに区切られる。
また、このカバー１０の他の一対の縁辺には、それぞれ１条ずつファスナーが取り付けられ、その金具１１をスライドさせることによって、収納室１０ａの開口を開閉できるようになっている。
なお、この金具１１は、カバー１０の外側に引っ張り出してあるが、使用時には、金具１１全体がカバーの縁辺の間に隠れるようになっている。
また、図１中の破線は、縫い合わせ及びファスナー取付の縫い目である。
【００１２】
次に、図２について説明する。
上記した通り、カバー１０の内部は、縫い合わせにより６室に区切られているが、図２に示したように、これらの内部には、それぞれ保冷パック２０が収納される。
なお、図２中、保冷パック２０は、一点鎖線で示してある。
この保冷パック２０は扁平で略矩形状のものであり、保冷材及び無機微粒子の混合物を合成樹脂製袋内に充填密封したものである。
合成樹脂製袋の材質は、柔軟性を有するものであればよい。好ましくは、ナイロン・ポリエチレンラミネートシート、エチレン・酢酸ビニル共重合体や、エチレン・メチルメタクリレート共重合体などが挙げられる。
【００１３】
保冷パック２０内に充填密封される保冷材と無機微粒子との混合物のうち、保冷材としては、潜熱蓄熱体といわれる０℃から３２℃の間に凝固点を設定できる硫酸ナトリウムの水和物（芒酸）や塩素酸リチウムの水和物のような水和物が望ましい。
凝固点はこれに塩化ナトリウムや塩化アンモニウムを加えて下げることができる。
さらに、上記水和物を溶かさない、エチルアルコールやプロピルアルコール等のアルコール類を添加することにより、溶液の温度が下がったときに、溶液が過冷却を起こさずに容易に水和物の結晶を析出するようになる。
【００１４】
また、保冷材としては、０℃以下に凝固点を有する水及び水に溶解して融点降下を起こさせる物質を溶かし込んだ水が挙げられる。具体的には、塩化カリウム、塩化アンモニウム、塩化ナトリウムなどの塩類や尿素などの化合物を溶かし込んだ水を挙げることができる。
また、混合物中の無機微粒子としては、無水超微粒子シリカ、含水ケイ酸微粒子、アルミナ超微粒子が挙げられ、これらのうちの１種を単独で、又は、複数種のものを混合して使用できる。
【００１５】
上記の冷感マットを使用するときには、カバー１０のファスナーの金具１１をスライドさせて収納室１０ａを開口させ、各収納室１０ａにそれぞれ１個ずつ保冷パック２０を挿入し、金具１１をスライドさせて収納室１０ａの開口を閉じる。
これを例えば、椅子の座面に載せ、その上に座ると、太腿の裏側から臀部の広範囲にかけて徐々にひんやりと冷たさを感じ、その冷感が数時間持続する。
冷感を感じなくなったときには、使用をやめ、混合物内の結晶化が進むまでしばらく放置するか、カバー１０内から保冷パック２０を取り出し、冷蔵庫や冷凍庫に入れ、結晶化を促進させ、混合物が凍結する前に取り出して再使用すればよい。
【００１６】
なお、本発明は上記の実施例に限定されるものではない。
例えば、カバーの材質は、シート状で柔軟性のあるものであれば不織布や、合成樹脂フィルム、ウレタンシートなど、どのようなものであってもよく、また、その形状や、充填室の数、配置等は、使用形態により、自由に変更できる。
また、保冷パックの形状や大きさや形状も、中身の混合物が容易に偏ってしまうような大きさや形状の範囲で、自由に変更できる。
また、３室以上の収納室を有する場合には、少なくとも複数の収納室に冷感マットを収納させ、残りの一部の収納室に保冷パックを収納させないようにしてもよい。
【００１７】
また、収納室の形成は、カバー内で、各保冷パックを所定の位置に保持できるものであれば、どのようなものであってよく、収納室同士が、一部で連通していても構わない。
また、上記の実施例では、収納室の開口はファスナーによって閉鎖し得るようにしたが、他の係止手段、例えば、面状ファスナーやホック等で閉鎖するようにしてもよい。
この場合、収納室の開口側の端縁を折り返し、折り返すことによって重なって当接する領域にそれぞれ係止し得る面状ファスナー等を設けてもよい。
【００１８】
また、例えば、上記実施例において、冷感マットの中央の縫い目に沿って、また、各収納室の短辺と平行で、収納室の略中央を通る直線に沿って、各収納室の開口を設け、さらに必要に応じてその開口部の形状を工夫することなどにより、この冷感マットを持ち上げたときに、開口から保冷パックが脱落しなければ、ファスナーは使用しなくてもよい。
また、その使用目的も座布団に限定されるものではなく、例えば、枕、敷布、車椅子の座布団や背もたれパッド、ベビーカーやチャイルドシートの敷きパッドなどに使用してもよい。
さらに、その使用目的は、人間に限定されず、例えば、犬や猫などのペット用のマットとして使用してもよい。
また、複数の冷感マットを寝具上に敷くなどのように、複数の冷感マットを組み合わせて使用してもよい。
【実施例１】
【００１９】
水８００ｇに硫酸ナトリウム３２０ｇを加え、２８度で攪拌しながら溶解させた。溶解液が透明になったところで、無水超微粒子シリカ４０ｇをくわえ攪拌を続け、その時点で、エチルアルコール８０ｇを加えてすばやく攪拌し、外寸が縦１１６ｍｍ、横１９５ｍｍの矩形状合成樹脂製の袋に充填密封し、重量１８５ｇの保冷パックを６個作成した。
カバーとして、図１に示したものと同様のものであって、カバーの縦３７０ｍｍ、横４５０ｍｍであり、収納室の大きさは、縦１２０ｍｍ、横２１０ｍｍ、のものを用いた。
カバーの各収納室にそれぞれ保冷パックを１個ずつ収容させ、室温１８℃の室内に放置した。
【００２０】
３時間後にカバーの上から保冷パックをつぶして内容物の状態を確認すると、混合物中に、微細な結晶の析出を確認できると共に、混合物自体が粘性を帯び、ゲル状になっていた。
カバーの上からの保冷パックの柔軟性及び触感は良好だった。
この冷感マットを、椅子の座面に敷いて、その上に座ると、すぐにひんやりとした感覚を冷感マットとの接触面全体に感じ、その冷却効果は、約５時間持続した。
このように、本発明に係る冷感マットを用いると、広範囲に渡る領域を効果的に冷却できることが判った。
【産業上の利用可能性】
【００２１】
本発明に係る冷感マットは、身体の所定領域を効率よく長時間に渡って冷却することができる。
【図面の簡単な説明】
【００２２】
【図１】本発明にかかる冷感マットの一実施例の平面図である。
【図２】図１に示した冷感マットの保冷パックの収納状態を示す平面図である。
【符号の説明】
【００２３】
１      冷感マット
１０    カバー
１０ａ  収納室
１１    ファスナーの金具
２０    保冷パック
【図１】
2005144036.tif 000003
【図２】
2005144036.tif 000004